(57)【要約】【課題】  一般的に入手できる汎用的な安価な白色光源を使用する場合にも、この白色光源からの白色光と赤色光源からの赤色光との混色光の色度座標プロットを黒体放射軌跡上に位置させる。【解決手段】  黒体放射軌跡上に位置する白色光を出射する白色光源１０と、白色光源１０からの光に混色させるための赤色光を出射する赤色光源２０と、白色光源１０からの光から青色成分を所定の割合でカットするフィルタ３０とを備えており、フィルタ３０は、４８０ｎｍ以下の波長領域が２０〜６０％の透過率になっており、５００ｎｍ以上の波長領域が９０％以上の透過率になっている。【選択図】      図７
2011154895.tif 000002
【特許請求の範囲】
【請求項１】
黒体放射軌跡上に位置する白色光を出射する白色光源と、前記白色光源からの光に混色させるための赤色光を出射する赤色光源と、前記白色光源からの光から青色成分を所定の割合でカットするフィルタとを備えており、前記フィルタは、４８０ｎｍ以下の波長領域が２０〜６０％の透過率になっており、５００ｎｍ以上の波長領域が９０％以上の透過率になっていることを特徴とする光源装置。
【請求項２】
請求項１記載の光源装置に光学系が設けられていることを特徴とする照明装置。
【請求項３】
請求項２記載の照明装置において、前記フィルタは、前記白色光源と前記光学系との間に設けられていることを特徴とする照明装置。
【発明の詳細な説明】
【技術分野】
【０００１】
本発明は、光源装置および照明装置に関する。
【背景技術】
【０００２】
特許文献１には、一般的な白色発光装置（白色光源）が示されている。図１は特許文献１に示されている白色発光装置（白色光源）の概略図である。図１を参照すると、特許文献１に示されている白色発光装置（白色光源）１０は、基板１と、基板１上に設けられ、青色光を出射する青色発光素子（例えば青色ＬＥＤ）２と、青色発光素子２上に形成されたモールディング物質３とを有し、モールディング物質３内には、黄色蛍光体が分散されている。ここで、モールディング物質３内に所定濃度の黄色蛍光体が分散されている場合には、白色発光装置（白色光源）１０は、黒体放射軌跡上に位置する白色光を出射する通常の一般的な（汎用的な）白色光源となる。
【０００３】
ところで、発光効率を下げずに演色性を上げるため、図２に示すように、白色光源（例えば白色ＬＥＤ）１０とともに、赤色光を出射する赤色光源（例えば赤色ＬＥＤ）２０をさらに用意し、白色光源１０と赤色光源２０とを同時に発光させ、白色光源１０からの光に赤色光を混色させることが要望されている。
【０００４】
しかしながら、この場合、白色光源（例えば白色ＬＥＤ）１０として、黒体放射軌跡上に位置する白色光を出射する通常の一般的な（汎用的な）白色光源を用いると、図３に示すように、白色光源１０からの光と赤色光源２０からの赤色光との混色光を黒体放射軌跡上に位置させることができず、色（白色光）のバランスが崩れるという問題（演色性を大幅には改善できないという問題）があった。なお、図３は色度座標を示す図であり、図３において、Ｃ１は黒体放射軌跡上に位置する白色光を出射する通常の一般的な（汎用的な）白色光源１０からの光（すなわち、黒体放射軌跡上に位置する白色光）の色度座標プロット、Ｃ２は赤色光源２０からの赤色光の色度座標プロット、Ｃ３は黒体放射軌跡上に位置する白色光を出射する通常の一般的な（汎用的な）白色光源１０からの光と赤色光源２０からの赤色光との混色光の色度座標プロットである。図３からわかるように、黒体放射軌跡上に位置する白色光を出射する通常の一般的な（汎用的な）白色光源１０からの光（黒体放射軌跡上に位置する白色光）と赤色光源２０からの赤色光との混色光の色度座標プロットＣ３は、黒体放射軌跡よりも右下の方向（―ｄｕｖ）、つまり赤色領域に向かって移動するので、黒体放射軌跡上に位置させることはできない。
【先行技術文献】
【特許文献】
【０００５】
【特許文献１】特開２００７−１２６６７０号公報
【発明の概要】
【発明が解決しようとする課題】
【０００６】
白色光源１０からの光と赤色光源２０からの赤色光との混色光を黒体放射軌跡上に位置させるために、白色光源１０として、図４に示すように、黒体放射軌跡上に位置する白色光を出射する通常の一般的な（汎用的な）白色光源よりも、黄色蛍光体が高濃度に分散されているモールディング物質９３を用いた特殊な白色光源（例えば白色ＬＥＤ）、すなわち、通常の一般的な（汎用的な）白色光源よりも、黄色を帯びた白色光を出射する特殊な白色光源を用いることも考えられる。なお、図４において、図１と同様な箇所には同じ符号を付している。
【０００７】
図５は、白色光源１０からの光の色度座標プロットＣ１が青色と黄色の比率に応じて変化する方向を示す図であり、黄色の比率が増えると、色度座標プロットＣ１は右上の方向Ａに向けて移動する。
【０００８】
従って、図４に示すような黄色蛍光体が高濃度に分散されているモールディング物質９３を用いた特殊な白色光源からの光（黄色を帯びた白色光）の色度座標プロットは、図６に示すように、Ｃ４の位置となり、黄色を帯びた白色光と赤色光との混色光の色度座標プロットＣ５を、黒体放射軌跡上に位置させることができる。
【０００９】
しかしながら、この場合には、黄色を帯びた白色光を出射する特殊な白色光源は、一般的な（汎用的な）ものではないため、これを用いると、光源装置および照明装置が高価なものになってしまうという問題があった。すなわち、汎用性のある安価な白色光源（例えば白色ＬＥＤ）は、黒体放射軌跡上の６５００Ｋ、６０００Ｋを目標に設計されている。よって、図４のような黄色を帯びた白色光を出射する白色光源は、赤色光源と同時発光させる専用の特殊な白色光源となってしまい、一般的に入手できる汎用的な安価な白色光源（例えば白色ＬＥＤ）を使用することができず、光源装置および照明装置が高価なものになってしまうという問題があった。
【００１０】
本発明は、一般的に入手できる汎用的な安価な白色光源を使用する場合にも、この白色光源からの白色光と赤色光源からの赤色光との混色光の色度座標プロットを黒体放射軌跡上に位置させることの可能な光源装置および照明装置を提供することを目的としている。
【課題を解決するための手段】
【００１１】
上記目的を達成するために、請求項１記載の発明は、黒体放射軌跡上に位置する白色光を出射する白色光源と、前記白色光源からの光に混色させるための赤色光を出射する赤色光源と、前記白色光源からの光から青色成分を所定の割合でカットするフィルタとを備えており、前記フィルタは、４８０ｎｍ以下の波長領域が２０〜６０％の透過率になっており、５００ｎｍ以上の波長領域が９０％以上の透過率になっていることを特徴とする光源装置である。
【００１２】
また、請求項２記載の発明は、請求項１記載の光源装置に光学系が設けられていることを特徴とする照明装置である。
【００１３】
また、請求項３記載の発明は、請求項２記載の照明装置において、前記フィルタは、前記白色光源と前記光学系との間に設けられていることを特徴としている。
【発明の効果】
【００１４】
請求項１乃至請求項３記載の発明によれば、黒体放射軌跡上に位置する白色光を出射する白色光源と、前記白色光源からの光に混色させるための赤色光を出射する赤色光源と、前記白色光源からの光から青色成分を所定の割合でカットするフィルタとを備えており、前記フィルタは、４８０ｎｍ以下の波長領域が２０〜６０％の透過率になっており、５００ｎｍ以上の波長領域が９０％以上の透過率になっているので、黒体放射軌跡上に位置する白色光を出射する一般的に入手できる汎用的な安価な白色光源を使用する場合にも、この白色光源からの白色光と赤色光源からの赤色光との混色光の色度座標プロットを黒体放射軌跡上に位置させ、かつ、発光効率を落とさずに、演色性を大幅に改善することができる。
【図面の簡単な説明】
【００１５】
【図１】特許文献１に示されている白色発光装置（白色光源）の概略図である。
【図２】白色光源と赤色光源とを同時に発光させ、白色光源からの光に赤色光を混色させる光源装置を示す図（概略図）である。
【図３】図２の光源装置における色度座標プロットを示す図である。
【図４】黄色蛍光体が高濃度に分散されている特殊な白色光源を示す図である。
【図５】白色光源からの光の色度座標プロットが青色と黄色の比率に応じて変化する方向を示す図である。
【図６】図４の特殊な白色光源を用いた場合における色度座標プロットを示す図である。
【図７】本発明の光源装置および照明装置の構成例を示す図（概略図）である。
【図８】本発明において用いられる汎用的な白色光源から出射される白色光の発光スペクトル分布を示す図である。
【図９】汎用的な赤色光源からの赤色光の発光スペクトル分布を示す図である。
【図１０】汎用的な白色光源と汎用的な赤色光源とを、同時に混色発光させたときの混色光の発光スペクトル分布を示す図である。
【図１１】本発明に用いられるフィルタの分光分布特性（波長に対する透過率特性）を示す図である。
【図１２】汎用的な白色光源の発光スペクトル（図８の発光スペクトル）に対して、４８０ｎｍ以下の波長領域が６０％の透過率（すなわち、４０％カット）になっているフィルタを通過させた前後の発光スペクトル分布を示す図である。
【図１３】汎用的な白色光源と赤色光源とを、同時に混色発光させたときの混色光の発光スペクトル（図１０の発光スペクトル）に対して、４８０ｎｍ以下の波長領域が６０％の透過率（すなわち、４０％カット）になっているフィルタを通過させた前後の発光スペクトル分布を示す図である。
【図１４】フィルタを通過させた後の混色光の色度座標プロットを示す図である。
【図１５】本発明の光源装置および照明装置の他の構成例を示す図（概略図）である。
【図１６】本発明の光源装置および照明装置の他の構成例を示す図（概略図）である。
【発明を実施するための最良の形態】
【００１６】
以下、本発明の実施形態を図面に基づいて説明する。
【００１７】
図７は本発明の光源装置および照明装置の構成例を示す図（概略図）である。なお、図７において、図２と同様の箇所には同じ符号を付している。図７を参照すると、この光源装置は、白色光源（例えば白色ＬＥＤ）１０と、白色光源１０からの光に混色させるための赤色光を出射する赤色光源（例えば赤色ＬＥＤ）２０とを有している。
【００１８】
ここで、白色光源１０には、黒体放射軌跡上に位置する白色光を出射する一般的な（汎用的な）安価な白色光源（例えば白色ＬＥＤ）が用いられる。すなわち、本発明において用いられる白色光源（例えば白色ＬＥＤ）１０は、この白色光源１０から出射される白色光の発光スペクトル分布が図８に示すようなものとなっており、色温度が６０００〜６５００Ｋ程度で、色度座標プロットが黒体放射軌跡上に位置している。具体的には、図３あるいは図５に色度座標プロットＣ１をもつもの（すなわち、この例では、色温度が６０００Ｋで、黒体放射軌跡上に位置している一般的な（汎用的な）安価な白色光源）が用いられる。なお、この白色光源１０の色温度（６０００〜６５００Ｋ程度）は、後述のように最終的に得られる（すなわち、目標とする）混色光の色温度よりも１５００〜２５００Ｋ程度、高いものとなっている。
【００１９】
また、赤色光源２０には、赤色光（６１０〜６６０ｎｍの波長域の赤色光）を出射する一般的な（汎用的な）安価な赤色光源（例えば赤色ＬＥＤ）が用いられる。図９には、汎用的な赤色光源（発光波長が６３０ｎｍの赤色光を出射する赤色光源）２０からの赤色光の発光スペクトル分布が示されている。
【００２０】
本発明においても、基本的には、白色光源（例えば白色ＬＥＤ）１０からの白色光と赤色光源（例えば赤色ＬＥＤ）２０からの赤色光とを混色させるようになっている。具体的には、白色光源（例えば白色ＬＥＤ）１０と赤色光源（例えば赤色ＬＥＤ）２０とを、同時に混色発光させるようになっている。白色光源（例えば白色ＬＥＤ）１０と赤色光源（例えば赤色ＬＥＤ）２０とを、同時に混色発光させたときの混色光の発光スペクトル分布は、図１０に示すようなものとなる。
【００２１】
しかしながら、本発明では、白色光源（例えば白色ＬＥＤ）１０に、黒体放射軌跡上に位置する白色光を出射する一般的な（汎用的な）安価なものを用いているので、これだけでは、混色光の色度座標プロットは、図３に示したようにＣ３の位置となり、黒体放射軌跡上に位置しなくなってしまう。
【００２２】
そこで、本発明では、図７に示すように、白色光源１０からの光から青色成分を所定の割合でカットするフィルタ（青色成分カットフィルタ）３０を、さらに設けている。図１１はこのフィルタ３０の分光分布特性（波長に対する透過率特性）を示す図である。図１１を参照すると、このフィルタ３０は、４８０ｎｍ以下の波長領域が２０〜６０％の透過率になっており（換言すると、４８０ｎｍ以下の波長領域については４０〜８０％の範囲でカットするようになっており）、５００ｎｍ以上の波長領域が９０％以上の透過率になっている。このような特性をもつフィルタ３０は、例えば、キノフタロン系の染料を透明なアクリル樹脂に分散させ紫外吸収材を添加することで、実現できる。
【００２３】
このように、汎用的な白色光源（例えば白色ＬＥＤ）１０と６１０〜６６０ｎｍの赤色光源（例えば赤色ＬＥＤ）２０を、同時に混色発光させ、４８０ｎｍ以下の波長領域を４０〜８０％カットし、５００ｎｍ以上の波長領域が９０％以上の透過率になっているフィルタ３０に通過させることで、汎用的な白色光源（例えば白色ＬＥＤ）１０からの白色光と６１０〜６６０ｎｍの赤色光源（例えば赤色ＬＥＤ）２０からの赤色光との明るさ比はルーメン換算で１０：１〜１８：１の範囲になる（すなわち、４８０ｎｍ以下の波長領域を４０％カットのときは、白色光と赤色光との明るさ比はルーメン換算で１８：１となり、４８０ｎｍ以下の波長領域を８０％カットのときは、白色光と赤色光との明るさ比はルーメン換算で１０：１となり、より演色性が向上する）。また、上記フィルタ３０は、上記の特性を有することで、発光スペクトルの発光ピークが変動したり、フィルター特性が変動しても、色度が影響を受けにくいものとなっている。
【００２４】
図１２には、汎用的な白色光源（例えば白色ＬＥＤ）１０の発光スペクトル（図８の発光スペクトル）に対して、４８０ｎｍ以下の波長領域が６０％の透過率（すなわち、４０％カット）になっているフィルタ３０を通過させた前後の発光スペクトル分布が示されている。図１２において、Ｓ１がフィルタ３０を通過させる前の発光スペクトル分布であり、Ｓ２がフィルタ３０を通過させた後の発光スペクトル分布である。図１２から、４５０〜４６０ｎｍ付近の青色発光に関係している発光領域以外は、発光スペクトル分布はほとんど変化していないことが分かる。そして、図１４に示すように、フィルタ３０を通過させる前の汎用的な白色光源（例えば白色ＬＥＤ）１０からの光の色度座標プロットＣ１は、フィルタ３０を通過させた後には、Ｃ４に移動する。これは、図４に示すような黄色蛍光体が高濃度に分散されているモールディング物質９３を用いた特殊な白色光源を使用する場合の色度座標プロットの位置（図６を参照）と同じであり、本発明では、特殊な白色光源を使用せずに、汎用的な白色光源とフィルタ３０とを用いて、色度座標プロットの位置をＣ４に移動させることができることがわかる。つまり、図１２において４５０〜４６０ｎｍ付近の発光スペクトルはフィルタ３０を通過させた前後で４０％も減少するため図１４の色度座標プロット図ではＣ１からＣ４へと黄色領域に移動することから、黄色蛍光体濃度が高くなったことと同じ効果を持たせることができる。
【００２５】
図１３には、黒体軌跡上の汎用的な白色光源（例えば白色ＬＥＤ）１０と赤色光源（例えば赤色ＬＥＤ）２０とを、同時に混色発光させたときの混色光の発光スペクトル（図１０の発光スペクトル）に対して、４８０ｎｍ以下の波長領域が６０％の透過率（すなわち、４０％カット）になっているフィルタ３０を通過させた前後の発光スペクトル分布が示されている。図１３において、Ｓ３がフィルタ３０を通過させる前の混色光の発光スペクトル分布であり、Ｓ４がフィルタ３０を通過させた後の混色光の発光スペクトル分布である（なお、この発光スペクトル分布は、光源装置および照明装置の構成が厳密には（実際には）図７のものでなく、後述の図１５のようになっている場合のものである）。そして、図１４に示すように、フィルタ３０を通過させた後の混色光の色度座標プロットはＣ５となり、汎用的な安価な白色光源からの白色光と汎用的な安価な赤色光源からの赤色光との混色光の色度座標プロットを黒体放射軌跡上（黒体放射軌跡上の色温度４３００Ｋ）に位置させることができる（黒体放射軌跡上の色温度４３００Ｋの白色光源（例えば白色ＬＥＤ）と等価な位置に位置させることができる）。
【００２６】
このように、図７の光源装置では、黒体放射軌跡上に位置する白色光を出射する白色光源１０と、白色光源１０からの光に混色させるための赤色光を出射する赤色光源２０と、白色光源１０からの光から青色成分を所定の割合でカットするフィルタ３０とを備えており、前記フィルタ３０は、４８０ｎｍ以下の波長領域が２０〜６０％の透過率になっており、５００ｎｍ以上の波長領域が９０％以上の透過率になっているので、黒体放射軌跡上に位置する白色光を出射する一般的に入手できる汎用的な安価な白色光源を使用する場合にも、この白色光源からの白色光と赤色光源からの赤色光との混色光の色度座標プロットを黒体放射軌跡上に位置させ、かつ、発光効率を落とさずに、演色性を大幅に改善することができる。
【００２７】
また、図７の構成例では、さらに光学系４０として、例えば、白色光源１０からの光を集光させる集光レンズ４１と、赤色光源２０からの光を集光させる集光レンズ４２とが設けられていることによって、照明装置の構成にすることができる。なお、図７の例では、光学系４０が集光レンズ４１、４２となっているが、集光レンズ４１、４２のかわりに他のレンズ等が用いられても良いし、あるいは、集光レンズ４１、４２に加えて他のレンズ等がさらに設けられても良い。
【００２８】
また、図７の構成例では、白色光源１０に対してのみフィルタ（青色成分カットフィルタ）３０を設けているが、図１５に示すように、白色光源１０と赤色光源２０との両方に対してフィルタ（青色成分カットフィルタ）３０を設けても良く、図１５の構成例の場合にも、図７の構成例と同様な効果を得ることができる。
【００２９】
なお、図１５の構成例においても、さらに光学系４０として、例えば、白色光源１０からの光を集光させる集光レンズ４１と、赤色光源２０からの光を集光させる集光レンズ４２とが設けられていることによって、照明装置の構成にすることができる。また、図１５の例では、光学系４０が集光レンズ４１、４２となっているが、集光レンズ４１、４２のかわりに他のレンズ等が用いられても良いし、あるいは、集光レンズ４１、４２に加えて他のレンズ等がさらに設けられても良い。
【００３０】
また、図７、図１５の構成例では、白色光源（例えば白色ＬＥＤ）１０、赤色光源（例えば赤色ＬＥＤ）２０と光学系４０（集光レンズ４１、４２）との間に、フィルタ３０を設けているが、図１６のように、光学系４０（集光レンズ４１、４２）の白色光源（例えば白色ＬＥＤ）１０、赤色光源（例えば赤色ＬＥＤ）２０とは反対の側に（すなわち、光学系４０（集光レンズ４１、４２）の外側に）、フィルタ３０を設けても良い。
【００３１】
図７、図１５、図１６の構成例のいずれにおいても、フィルタ３０を設けることで、さらに次の利点もある。すなわち、フィルタ３０は、青色領域をカットする特性上、黄色の色調を有しているので、この黄色い色調のフィルタ３０が挿入されないときは、レンズ外側から見えていた白色光源（例えば白色ＬＥＤ）１０に用いられている黄色蛍光体がレンズカット拡大されて目玉焼きのような見苦しい見栄えとなるが、同じ黄色い色調のフィルタ３０を白色光源（例えば白色ＬＥＤ）１０の上部に配置することで、白色光源（例えば白色ＬＥＤ）１０自体が目立たなくなり、黄色蛍光体がレンズカットで拡大されて目玉焼きのような見苦しい見栄えとなるのを低減することができる。
【００３２】
ただし、図７、図１５の構成例のように白色光源１０、赤色光源２０と光学系４０（集光レンズ４１、４２）との間にフィルタ３０を設ける場合には、図１６のように光学系４０（集光レンズ４１、４２）の外側にフィルタ３０を設ける場合に比べて、次の点で有利である。
【００３３】
すなわち、フィルタ３０は、上記のように、青色領域をカットする特性上、黄色の色調を有しているので、図１６のように白色光源（例えば白色ＬＥＤ）１０、赤色光源（例えば赤色ＬＥＤ）２０から一番遠い位置にフィルタ３０を配置すると、見栄え上からも好ましくない（黄色い色調が目立ち、見る者に不快感を与える）。これに対し、図７、図１５のように、黄色い色調を有するフィルタ３０をＬＥＤから一番近い場所に配置すると、レンズカットの効果もあってフィルタ３０の黄色い色調はあまり目立たなくなるという利点がある。
【００３４】
本願の発明者は、実際、例えば図１５の構成例において、黒体軌跡上の汎用的な白色ＬＥＤ１０（色温度が６０００Ｋ）と汎用的な赤色ＬＥＤ２０（発光波長が６３０ｎｍ）を同時点灯し、４８０ｎｍ以下の青色成分を４０％カットする特殊なフィルタ３０を通過させ、集光レンズ等を通過させた混色光を調べた。この結果、この混色光は、黒体放射軌跡上の色温度が４３００Ｋに位置し、これにより、黄色蛍光体濃度を高くした図４に示したような特殊な白色ＬＥＤを用いる場合と同じ効果が得られることがわかった。換言すれば、黒体放射軌跡上の色温度が４３００Ｋに位置する白色光を得るのに、黄色蛍光体濃度を高くした図４に示したような特殊な白色ＬＥＤを用いることなく、黒体軌跡上の汎用的な白色ＬＥＤ１０（色温度が６０００Ｋ）を用いることができる。
【００３５】
なお、４８０ｎｍ以下の青色成分を４０％カットするフィルタ３０を通過させることで、汎用的な白色ＬＥＤ１０からの白色光と赤色ＬＥＤ２０からの赤色光との明るさ比は、ルーメン換算で１８：１程度となり、色再現を表す平均演色係数（Ｒａ）は、７５から８５に改善され、特殊演色係数（Ｒ９）は、−２２から４３に大幅に改善された。また、発光効率は、白色ＬＥＤ１０（色温度が６０００Ｋ）が９５ルーメン／Ｗであったが、黒体放射軌跡上の色温度が４３００Ｋに位置する混色光の発光効率は９１ルーメン／Ｗであり、約４％強の発光効率ダウンだけにとどまった。現在のＬＥＤ照明では一般的に、このような演色性の改善は蛍光体で実現させることが主流であるが、蛍光体による仕方では２０〜３０％の発光効率ダウンが発生することがわかっているため、本発明の汎用ＬＥＤを用いて発光効率を維持して演色性を改善する仕方がいかに優れているかを実際に示すことができた。また、フィルタ３０の４８０ｎｍ以下の青色成分のカット率を４０％より大きくして（図１１を参照）、白色ＬＥＤ１０からの白色光と赤色ＬＥＤ２０からの赤色光との明るさ比を赤色ＬＥＤ２０からの赤色光が大きくなるようにすることで、さらに演色性を改善できる。具体的に、フィルタ３０の４８０ｎｍ以下の青色成分のカット率を８０％にし（フィルタ３０として、４８０ｎｍ以下の青色成分を８０％カットするものを用い）、白色ＬＥＤ１０からの白色光と赤色ＬＥＤ２０からの赤色光との明るさ比を１０：１にすることで、演色性を９５まで向上することが可能であり、色再現に敏感な食材照明や美術館照明として演色性に応じて使用することができるようになる。
【００３６】
このように、本発明では、目標とする黒体放射軌跡上の色温度（例えば４３００Ｋ、あるいは、３０００Ｋ）よりも１５００〜２５００Ｋ高い色温度の汎用的な白色光源（例えば白色ＬＥＤ）１０と発光波長が６１０〜６６０ｎｍの赤色光源（例えば赤色ＬＥＤ）２０とを、同時に混色発光させ、４８０ｎｍ以下の波長領域を４０〜８０％カットし、５００ｎｍ以上の波長領域が９０％以上の透過率になっているフィルタ３０に通過させることで、汎用的な白色光源（例えば白色ＬＥＤ）１０からの白色光と６１０〜６６０ｎｍの赤色光源（例えば赤色ＬＥＤ）２０からの赤色光との混色光の発光効率を落とさずに、該混色光の色度座標プロットを黒体放射軌跡上に位置させることができるとともに、汎用的な白色光源（例えば白色ＬＥＤ）１０からの白色光と６１０〜６６０ｎｍの赤色光源（例えば赤色ＬＥＤ）２０からの赤色光との明るさ比をルーメン換算で１０：１〜１８：１の範囲にすることができ、これにより、平均演色係数Ｒａを８５〜９５まで、また、特殊演色係数Ｒ９を４３〜９０まで上げることができて、演色性を向上させることができる。
【産業上の利用可能性】
【００３７】
本発明は、食材照明、美術館照明等の一般照明や、液晶用バックライトなどに利用可能である。
【符号の説明】
【００３８】
１０          白色光源（例えば白色ＬＥＤ）
２０          赤色光源（例えば赤色ＬＥＤ）
３０          フィルタ
４０          光学系
４１、４２        集光レンズ
【図１】
2011154895.tif 000003
【図２】
2011154895.tif 000004
【図３】
2011154895.tif 000005
【図４】
2011154895.tif 000006
【図５】
2011154895.tif 000007
【図６】
2011154895.tif 000008
【図７】
2011154895.tif 000009
【図８】
2011154895.tif 000010
【図９】
2011154895.tif 000011
【図１０】
2011154895.tif 000012
【図１１】
2011154895.tif 000013
【図１２】
2011154895.tif 000014
【図１３】
2011154895.tif 000015
【図１４】
2011154895.tif 000016
【図１５】
2011154895.tif 000017
【図１６】
2011154895.tif 000018